(57)【要約】【課題】  簡単な構成で、２つの整揃手段の間に遊技媒体が貯まることを防止し、かつ第２の整揃手段の負担を小さくして、損傷や磨耗を少なくする。【解決手段】  メダル１０をベルト８に載置して、上流側から下流側へベルトコンベヤ２が搬送する。コンベヤ２は上流側から前記下流側に向かって斜め上方に傾斜している。ベルト８の幅方向に沿って崩し板２４が配置され、その下端がベルト８に対して第１の間隔をあけて位置する。崩し板２８よりも下流側の位置に逆転プーリ２６が配置されている。逆転プーリ２６の下端が搬送面に対して第１の間隔よりも狭い第２の間隔をあけて位置している。逆転プーリ２６によって上流側に戻されたメダル１０を、下流側から上流側に導くように、崩し板２８に通過孔４０が形成されている。【選択図】        図１
2007312996.tif 000002
【特許請求の範囲】
【請求項１】
円板状の遊技媒体を搬送面に載置して、上流側から下流側へ搬送する無端ベルトと、
この無端ベルトの幅方向に沿って配置され、下端が前記搬送面に対して第１の距離をあけて位置するように設けられ、重積搬送されてきた前記遊技媒体のうち、第１の距離より上部に位置する前記遊技媒体を規制して高さを揃える板状の第１の整揃手段と、
この第１の整揃手段よりも前記下流側の位置に前記無端ベルトの幅方向に沿って配置され、下端が前記搬送面に対して第１の距離よりも短い第２の距離をあけて位置するように設けられ、重積搬送されてきた前記遊技媒体のうち、第２の距離より上部に位置する前記遊技媒体を規制して高さを揃える第２の整揃手段とを、
備え、前記搬送面が前記上流側から前記下流側に向かって斜め上方に傾斜している遊技媒体搬送装置において、
第２の整揃手段により前記上流側に戻された前記遊技媒体の少なくとも一部を、第１の整揃手段が設けられている位置の下流側から第１の整揃手段が設けられている位置の上流側へ導く還元手段を備えている遊技媒体搬送装置。
【請求項２】
請求項１記載の遊技媒体搬送装置において、前記還元手段は、第２の整揃手段により前記上流側に戻された前記遊技媒体の少なくとも一部について、第１の整揃手段が設けられている位置の下流側から第１の整揃手段が設けられている位置の上流側へ前記遊技媒体を通過可能とする通過部であって、
前記無端ベルトの搬送面下流側から前記通過部へ前記遊技媒体を導く誘導手段を備える遊技媒体搬送装置。
【請求項３】
請求項２記載の遊技媒体搬送装置において、第１の整揃手段が、前記通過部を形成するように複数に分割されて配置され、
前記誘導手段は、第２の整揃手段により前記上流側に戻された前記遊技媒体の少なくとも一部を、前記通過部が設けられている位置よりも下流側位置から前記通過部が設けられている位置へと前記無端ベルトの搬送面に沿うように誘導する誘導面を有する遊技媒体搬送装置。
【請求項４】
請求項３記載の遊技媒体搬送装置において、重積搬送されてきた前記遊技媒体のうち、所定の高さよりも上部に位置する前記遊技媒体が、前記通過部の上流側から下流側へ通過することを規制する規制手段を備え、この規制手段を搬送方向に平行に上流側から見たときの前記規制手段の前記通過部の前記無端ベルトの幅方向の長さを、少なくとも前記遊技媒体の直径よりも小さくした遊技媒体搬送装置。
【請求項５】
請求項４記載の遊技媒体搬送装置において、前記規制手段は、分割された第１の整揃手段のうちいずれか一方の第１の整揃手段の前記通過部を形成する端部が、延長形成されてたものである遊技媒体搬送装置。
【請求項６】
請求項２記載の遊技媒体搬送装置において、前記通過部が、前記搬送面から予め定めた高さ位置に設けられ、前記誘導手段は、第２の整揃手段によって、前記上流側に戻された前記遊技媒体の少なくとも一部を、前記通過部が設けられている位置よりも下流側位置から前記通過部が設けられている位置へと誘導する誘導面を有する遊技媒体搬送装置。
【請求項７】
請求項６記載の遊技媒体搬送装置において、前記誘導面は、前記搬送面に対して前記下流側から前記通過部側に向かって傾斜している傾斜面であり、該傾斜面が、水平面に対して下方向に傾斜している遊技媒体搬送装置。
【請求項８】
請求項６または７記載の遊技媒体搬送装置において、搬送方向に平行に上流側から見た前記通過部の高さ方向の長さが、少なくとも前記遊技媒体の厚さよりも小さくなるように前記通過部を遮蔽すると共に、重積搬送されてきた前記遊技媒体のうち、所定の高さより上部に位置する前記遊技媒体が、前記通過部を上流側から下流側に向かって通過することを規制する規制手段が設けられている遊技媒体搬送装置。
【請求項９】
請求項２乃至８いずれか記載の遊技媒体搬送装置において、第１の整揃手段が、前記誘導手段を備える遊技媒体搬送装置。
【請求項１０】
請求項１乃至９いずれか記載の遊技媒体搬送装置において、第１の整揃手段は、弾性部材によって搬送方向に対して揺動可能に取り付けられている遊技媒体搬送装置。
【請求項１１】
請求項１乃至１０いずれか記載の遊技媒体搬送装置において、第１の整揃手段は、その下部に、重積搬送された前記遊技媒体群の所定高さ下部に位置する遊技媒体を下方へ導く誘導部と、この誘導部により導かれた前記遊技媒体のうち、第１の距離より上部に位置する前記遊技媒体を規制して分離して、高さを揃える高さ規制部とを、備える遊技媒体搬送装置。
【請求項１２】
請求項１０記載の遊技媒体搬送装置において、前記誘導部が、曲線を描くように折り曲げ形成されている遊技媒体搬送装置。
【発明の詳細な説明】
【技術分野】
【０００１】
本発明は、重積している板状の遊技媒体を分離しながら搬送する遊技媒体搬送装置に関する。
【背景技術】
【０００２】
上述したような遊技媒体搬送装置は、例えば遊技媒体の洗浄装置の一部として使用されることがある。この洗浄装置の一例が特許文献1に開示されている。
【０００３】
この洗浄装置では、ベルトコンベヤ上を上流側から下流側に重積搬送されている遊技媒体を、ベルトコンベヤの中途に設けた第1の整揃手段によって高さを均して、その後、ベルトコンベヤの下流終端付近に設けた洗浄手段によって洗浄する。
【０００４】
【特許文献１】特開２００２−２３９１８８号公報
【発明の開示】
【発明が解決しようとする課題】
【０００５】
特許文献1の技術によれば遊技媒体の高さを或る程度には均して洗浄手段に供給することができるが、洗浄手段に確実に1枚ずつ遊技媒体を送り込むために、洗浄手段の近くの上流側に第２の整揃手段を設けることが考えられる。
【０００６】
しかし、第２の整揃手段を設けると、第２の整揃手段によって遊技媒体を分離する際に、分離されて第１の整揃手段側に弾かれた遊技媒体が、第１の整揃手段の下流側に貯まる。溜まった異物や遊技媒体が再び第２の整揃手段側に搬送され、何度も第２の整揃手段に接触する。その結果、第２の整揃手段が損傷、磨耗するという問題があった。また、第１の整揃手段の下流側において、第２の整揃手段から弾かれた遊技媒体と第１の整揃手段を通過して来た遊技媒体とが積み重なり、そのまま第２の整揃手段に搬送されるので、第１の整揃手段が実質的に役目を果たさず、第２の整揃手段にかかる負担が大きくなるという問題もあった。
【０００７】
本発明は、簡単な構成で、２つの整揃手段の間に遊技媒体が貯まることを防止し、かつ第２の整揃手段の負担を小さくして、損傷や磨耗を少なくすると共に、遊技媒体を確実に１枚ずつ分離することが可能な遊技媒体搬送装置を提供することを目的とする。
【課題を解決するための手段】
【０００８】
本発明の一態様の遊技媒体搬送装置は、無端ベルトを有し、この無端ベルトは、円板状の遊技媒体を搬送面に載置して、上流側から下流側へ搬送する。この無端ベルトの幅方向に沿って板状の第１の整揃手段が配置されている。第１の整揃手段は、下端が前記搬送面に対して第１の距離をあけて位置するように設けられ、重積搬送されてきた前記遊技媒体のうち、第１の距離より上部に位置する前記遊技媒体を規制して高さを揃える。この第１の整揃手段よりも前記下流側の位置に第２の整揃手段が設けられている。第２の整揃手段は、前記無端ベルトの幅方向に沿って配置され、下端が前記搬送面に対して第１の距離よりも狭い第２の距離を隔てて位置するように設けられ、重積搬送されてきた前記遊技媒体のうち、第２の距離より上部に位置する前記遊技媒体を規制して高さを揃える。前記無端ベルトは、前記搬送面を前記上流側から前記下流側に向かって斜め上方に傾斜させて配置されている。第２の整揃手段により前記上流側に戻された前記遊技媒体を、第１の整揃手段が設けられている位置において、前記下流側から上流側に導く還元手段が設けられている。
【０００９】
このように構成すると、第２の整揃手段によって第１の整揃手段側に戻された遊技媒体は、還元手段によって第１の整揃手段の上流側に導かれるので、第１及び第２の整揃手段間に遊技媒体が貯まることを防止でき、第２の整揃手段の負担を小さくすることができる上に、第２の整揃手段の損傷や磨耗を少なくすることができる。また、第１の整揃手段の上流側に戻された遊技媒体は再び第１の整揃手段によって高さが均されて、第２の整揃手段によって確実に一枚ずつ分離される。
【００１０】
前記還元手段は、第２の整揃手段により前記上流側に戻された前記遊技媒体の少なくとも一部について、第１の整揃手段が設けられている位置の下流側から第１の整揃手段が設けられている位置の上流側へ前記遊技媒体を通過可能とする通過部とすることができる。この場合、前記下流側から前記通過部へ前記遊技媒体を導く誘導手段が設けられる。
【００１１】
このように構成すると、誘導手段によって遊技媒体を通過部に誘導して、この通過部を介して第１の整揃手段の下流側から上流側に遊技媒体を導くことができる。従って、よりスムーズに遊技媒体を通過部に誘導することができる。
【００１２】
更に、第１の整揃手段が、前記通過部を形成するように複数に分割されて配置されたものとすることができる。この場合、前記誘導手段は、第２の整揃手段により前記上流側に戻された前記遊技媒体の少なくとも一部を、前記通過部が設けられている位置よりも下流側位置から前記通過部が設けられている位置へと前記無端ベルトの搬送面に沿うように誘導する誘導面を有している。この誘導面も第１の整揃手段に設けることが望ましい。
【００１３】
このように構成すると、第１の整揃手段が通過部を兼ねるので、第１の整揃手段と通過部とを別個に設置する必要が無く、設置作業が容易になる。しかも、誘導面が遊技媒体を通過部まで下流側から誘導するので、通過部を介して第１の整揃手段の下流側から上流側に遊技媒体を導くことができる。
【００１４】
更に、重積搬送されてきた前記遊技媒体のうち、所定の高さよりも上部に位置する前記遊技媒体が、前記通過部の上流側から下流側へ通過することを規制する規制手段を設けることができる。この場合、規制手段を搬送方向に平行に上流側から見たとき、規制手段の前記通過部の前記無端ベルトの幅方向の長さを、少なくとも前記遊技媒体の直径よりも小さくしてある。
【００１５】
このように構成すると、重積された遊技媒体が上流側から下流側に通過部を通過していくことを規制手段が規制するので、重積された遊技媒体が第２の整揃手段に向かって搬送されることを防止できる。
【００１６】
更に、前記規制手段は、分割された第１の整揃手段のうちいずれか一方の第１の整揃手段の前記通過部を形成する端部が、延長形成されてたものとすることができる。
【００１７】
このように構成すると、第１の整揃手段と別個に規制手段を設ける必要が無く、第１の整揃手段や規制手段の設置が容易になる。
【００１８】
通過部を、前記搬送面から予め定めた高さ位置に設けることもできる。この場合、前記誘導手段は、第２の整揃手段によって、前記上流側に戻された前記遊技媒体の少なくとも一部を、前記通過部が設けられている位置よりも下流側位置から前記通過部が設けられている位置へと誘導する誘導面を有している。
【００１９】
このように構成すると、第２の整揃手段で弾かれた遊技媒体が誘導面によって通過部まで誘導され、通過部を通過して、上流側に移動させられる。
【００２０】
更に、前記誘導面は、前記搬送面に対して前記下流側から前記通過部側に向かって傾斜している傾斜面とすることができる。この場合、該傾斜面が、水平面に対して下方向に傾斜している。なお、無端ベルトの搬送面の傾斜と前記傾斜面の傾斜とがほぼ等しくてもよいし、傾斜面の傾斜を搬送面の傾斜よりも水平面に対して緩くすることもできる。
【００２１】
このように構成すると、誘導面である傾斜面を遊技媒体が滑動し、通過部に誘導されるが、傾斜面が水平面に対して下方に傾斜しているので、遊技媒体は確実に通過部側に向かって傾斜面上を移動する。
【００２２】
更に、搬送方向に平行に上流側から見た前記通過部の高さ方向の長さが、少なくとも前記遊技媒体の厚さよりも小さくなるように前記通過部を遮蔽するように規制手段を設けることもできる。この規制手段は、重積搬送されてきた前記遊技媒体のうち、所定の高さより上部に位置する前記遊技媒体が、前記通過部を上流側から下流側に向かって通過することを規制する。
【００２３】
このように構成すると、重積されている遊技媒体が上流側から下流側に向かって通過部を介して通過することを防止できる。
【００２４】
上記の各態様において、第１の整揃手段が、前記誘導手段を備えるものとすることができる。
【００２５】
このように構成すると、第１の整揃手段に誘導手段が設けられているので、第１の整揃手段を設置することによって同時に誘導手段を設置することができ、設置作業が容易になる。
【００２６】
上記の各態様において、第１の整揃手段を弾性部材によって搬送方向に対して揺動可能に取り付けることができる。
【００２７】
このように構成すると、第１の整揃手段に重積されたメダルが接触しても、第１の整揃手段に必要以上の負担がかからず、確実に遊技媒体を分離して、高さを揃えることができる。
【００２８】
上記の各態様において、第１の整揃手段を、その下部に、重積搬送された前記遊技媒体群の所定高さ下部に位置する遊技媒体を下方へ導く誘導部と、この誘導部により導かれた前記遊技媒体のうち、第１の距離より上部に位置する前記遊技媒体を規制して分離して、高さを揃える高さ規制部とを、備えるものとすることができる。
【００２９】
このように構成すると、第１の整揃手段において遊技媒体を確実に分離して高さを揃えることができる。
【００３０】
更に、前記誘導部を、曲線を描くように折り曲げ形成することもできる。
【００３１】
このように構成すると、簡単な構成で確実に遊技媒体を分離して、メダルの高さを揃えることができる。
【発明の効果】
【００３２】
以上のように、本発明によれば、簡単な構成で２つの整揃手段の間に遊技媒体が貯まることを防止し、かつ第２の整揃手段の負担を小さくして、その損傷や磨耗を少なくできる。また、遊技媒体を確実に１枚ずつ分離することも可能となる。
【発明を実施するための最良の形態】
【００３３】
本発明の第１の実施形態の遊技媒体搬送装置は、図示していない洗浄装置に遊技媒体、例えばメダルを搬送するものである。この搬送装置は、図１に示すように、ベルトコンベヤ２を有している。このベルトコンベヤ２は、間隔を隔てて配置した駆動プーリ４と従動プーリ６との間に、無端ベルト８を張架してある。図２に示すように、無端ベルト８は、その上面である搬送面に配置されたメダル１０を、上流側である従動プーリ６側から下流側である駆動プーリ４側に搬送する。このベルトコンベヤ２は、無端ベルト８の搬送面が上流側から下流側に向かって斜め上方を向くように配置されている。下流側が上流側よりも高いので、メダル１０の搬送中にメダル１０が上流側に滑落することを防止するために、無端ベルト８の表面には、その幅方向及び長さ方向それぞれに所定間隔ごとに突起１２が形成されている。
【００３４】
駆動プーリ４を駆動するために、駆動装置１４が設けられている。駆動装置１４は、プーリ１６ａ、１６ｂ、ベルト１８及びモータ２０から構成されている。これらベルトコンベヤ２及び駆動装置１４は、図２に示すように、それらの両側にそれぞれ配置した支持板２２、２２によって支持されている。なお、図示していないが、ベルトコンベヤ２の上方には、搬送面との間に間隔をあけて天井部が配置されている。この天井部は支持板２２、２２によって支持されている。
【００３５】
図１に示すように、ベルトコンベヤ２の搬送面の中途には、上流側から搬送されてきた重積された状態の複数のメダル１０を崩して均すための第１の整揃手段、例えば薄板状の崩し板２４が設けられている。崩し板２４よりも下流側、例えば最も下流側である駆動プーリ４の近傍には、更にメダル１０の高さを均す、例えば一枚ずつに確実に分離するための第２の整揃手段、例えば逆転プーリ２６が設けられている。
【００３６】
崩し板２４は、図２に示すように、搬送面の幅方向に沿って配置された２つの部材２８、３０からなる。これら部材２８、３０は、共に横長の板状に形成され、搬送面に対してほぼ垂直に配置されている。これら部材２６、２８は、図３に示すようにその上端部に、弾性部材である板ばね３２を有し、これらによって支持板２２、２２にそれぞれ取り付けられ、メダル１０の搬送方向の上流側と下流側いずれにも揺動可能とされている。これら部材２８、３０の下端部は、下流側を向いて折り曲げられ、側面形状がほぼL字状とされている。この折り曲げられた先端部３４は、ベルトコンベヤ２のベルト８の搬送面とほぼ平行に位置している。誘導部としての折り曲げ部分３６は、メダル１０の誘導部であって、曲線を描くように下流側に折り曲げられている。先端部３４の下面には、ベルト８側に突出した高さ規制部としての規制部３８が形成されている。この規制部３８とベルト８の搬送面との間には、第１の距離、例えば１枚のメダル１０の厚さよりも大きく、２枚のメダル１０の厚さよりも小さい間隔が保たれている。
【００３７】
部材２８は、図２に示すように、その一端部が一方の側板２２側に位置し、他方の端部が、ベルト８の幅方向の中央よりも幾分他方の側板２２側によった位置に位置している。この中央側の他方の端部は、一方の端部よりも上流側に位置している。部材３０は、その一方の端部が他方の側板２２側に位置し、他方の端部は、部材２６の中央側の他方の端部の近傍に位置している。部材３０の中央側の他方の端部も、部材３０の一方の端部よりも上流側に位置している。即ち、部材２８、３０は、ベルト８の上流側から下流側に逆八の字型をなしている。
【００３８】
これら部材２８、３０の中央の他端部間には間隔がある。この間隔は、例えば１枚のメダル１０の直径よりも幾分大きい。この間隔が、還元手段としての通過部、例えば通過孔４０として機能する。この通過孔４０が、搬送方向に沿った上流側から見えないように、部材２８の中央側の他端部は、部材３０の中央側の他端部と搬送方向に沿って一致する位置にある。下流側から上流側にメダル１０を還元させることだけを通過孔４０の目的とするなら、部材２８の中央側の端部と部材３０の中央側の端部との間にベルト８の幅方向に沿ってメダル１０の直径よりも幾分大きい間隔が形成されるように、部材２８、３０の長さを選択すればよい。しかし、これでは、通過孔４０を上流側から下流側に重積メダル１０が通過する。これを防止するために、部材２８の中央側端部が、部材３０の中央側端部と搬送方向に沿って一致するまで延長形成されている。この延長部分が通過孔４０を上流側から下流側に重積されたメダル１０が通過することを規制する規制手段として機能している。即ち、通過孔４０を搬送方向に沿って上流側から見た場合、通過孔４０が視覚的に規制手段によって遮蔽されている。
【００３９】
なお、必ずしも部材２８の中央側の他端部と部材３０の中央側の他端部とが搬送方向に沿って一致する位置に設置されている必要はなく、例えば通過孔４０を搬送方向に沿って上流側から見たときに、部材２８の中央側の他端部と部材３０の中央側の他端部との間隔がメダル１０の直径よりも小さければ、重積されたメダル１０が通過孔４０を通過することを規制することができる。但し、メダル１０の直径よりもやや小さい間隔にしただけでは、互いに支え合って立った状態となっている重積メダルが通過孔４０を下流側に通過する可能性がある。そこで、通過孔４０を搬送方向に沿って上流側から見たときの視覚的な搬送面幅方向の通過孔４０の長さをメダル１０の厚さよりも小さくすることが望ましい。
【００４０】
また、部材２８、３０が逆八の状に配置されているので、部材２８、３０の下流側の面は、これらの面に接触したメダル１０を通過孔４０に誘導する誘導手段、例えば傾斜面２６ａ、２８ａとして機能する。
【００４１】
逆転プーリ２６は、ベルト１０の幅方向の両端間に位置し、その周面には弾力性素材が使用されている。この逆転プーリ２６の周面とベルト１０との間には、第２の距離、例えば１枚のメダル１０の厚さよりも大きく、２枚のメダル１０の厚さよりも小さく、かつ部材２８、３０の規制部３８とベルト１０との距離よりも短い間隔が、設定されている。この逆転プーリ２６には、駆動プーリ４の回転が伝達プーリ４２を介して伝達され、図１に矢印Ａで示すように回転する。この回転によって、重積された状態で搬送されてきたメダル１０を１枚ずつ分離して、１枚だけをさらに下流側に通過させる。
【００４２】
このように構成された搬送装置では、重積したメダル１０は、従動プーリ６付近の上流側から崩し板２４の２つの部材２８、３０の上流側までベルト８によって搬送される。重積された複数枚のメダル１０のうち、部材２８、３０の折り返し部分３６よりも上側の部分に位置したメダル１０は、部材２８、３０に接触し、それ以上の進行が規制される。重積されたメダル１０のうち折り返し部分３６より下側にある複数枚のメダル１０は、折り返し部３６によって先端部３４の下方に導かれる。先端部３４の下方に２枚よりも多くのメダル１０が導入された場合、これらメダル１０のうち上側にある下から２枚目以上のメダル１０が規制部３８によって規制され、一番下の１枚目のメダル１０のみが規制部３８とベルト８の搬送面との間を通過する。
【００４３】
但し、規制部３８によって下から２枚目以降のメダル１０を良好に規制できずに、２枚のメダル１０が規制部材３８とベルト８との間に挟まった場合、ベルト８の走行に従って、挟まった２枚のメダル１０が部材２８、３０を下流側に押し、部材２８、３０とベルト８との間隔が広がり、重なっている２枚のメダル１０が規制部３８とベルト８との間を通過する。従って、最低でも、１または２枚だけメダル１０が重積された状態で、崩し板２４をメダル１０が通過していく。この際、メダル１０の通過後、部材２８、３０は元の位置に復帰する。また、規制部３８とベルト８との間にメダル１０が挟まった状態で、部材２８、３０をメダル１０が押し続けないので、部材２８、３０には大きな負荷がかからず、部材２８、３０が損傷することはない。
【００４４】
１枚のメダル１０または２枚の重積メダル１０は、逆転プーリ２６に向かってベルト８によって搬送される。１枚だけのメダル１０は、そのまま逆転プーリ２６とベルトとの間を通過するが、２枚の重積メダル１０のうち上側のメダル１０は、逆転ローラ２６の矢印Ａ方向の回転によって上流側に弾かれ、下側のメダル１０だけが逆転ローラ２６とベルト８との間を通過する。
【００４５】
ベルトコンベヤ２の下流側が上流側よりも高い位置にあるので、弾かれたメダル１０は、部材２８、３０まで滑落する。そして、これら部材２８、３０の傾斜面２８ａ、３０ａに案内されて、通過孔４０を通過して、部材２８、３０の上流側に移動する。そして、再びベルト１０によって部材２８、３０の上流側に向かって搬送される。このとき、メダルが１枚だけであれば、そのまま部材２８、３０を通過する。また重積された状態にメダル１０がなっていると、上述したのと同様に崩し板２４の部材２８、３０によって分離される。通過孔４０は、上述したように搬送方向と平行に形成されているので、重積されたメダル１０が通過孔４０を上流側から下流側に通過することはない。
【００４６】
逆転プーリ２６を通過したメダル１０は、駆動プーリ４の近傍に設けられた図示していない洗浄装置によって洗浄され、図示していない収容容器、例えばタンクに収容される。
【００４７】
このように逆転プーリ２６によって弾かれたメダル１０は、通過孔４０を通過して崩し板２４の上流側に戻されるので、弾かれたメダルが崩し板２４の下流側から再び逆転プーリ２６の位置まで搬送されることはない。その結果、弾かれたメダルが崩し板２４を通過したメダル１０の上に重積されることはなく、３枚以上重積されたメダルが逆転プーリ２６まで搬送されてくることはなく、３枚以上重積されたメダル１０が逆転ローラ２６に噛み込むことがなく、逆転ローラ２６に過大な負荷がかかったり、逆転ローラ２６を大きく損傷させたり、摩耗させたりすることもない。
【００４８】
本発明の第２の実施形態の搬送装置は、図４及び図５に示すように、崩し板２４ａの構成が異なる以外、第１の実施形態の搬送装置と同様に構成されている。同等部分には同一符号を付して、その詳細な説明は省略する。
【００４９】
崩し板２４ａは、図４に示すように、ベルト８の搬送面の幅方向全域にわたって設けられた板状体で、図５に示すように、それのベルト８と対向する面４２は、ベルト８の搬送面との間に１枚のメダル１０の厚さよりも大きく２枚のメダルの厚さよりも小さい間隔をあけて位置している。崩し板２４ａは、ベルト８と反対側に下流側の端部から上流側に向かって斜め下方に傾斜した傾斜面４４を有している。この傾斜面４４における上流側端部の両端、即ちベルト８の幅方向側の両端が、図示していないばねを介して側板２２、２２に取り付けられている。その結果、崩し板２４ａは搬送方向に揺動可能とされている。この崩し板２４ａの水平面に対する傾斜角度Φは、コンベヤ２の搬送面が水平面に対してなす角度θよりも小さな角度に形成されている。また、この崩し板２４ａの上流側の端部には、その幅方向に沿って通過孔４６が形成されている。さらに、面４２の上流側の端部から通過孔４６に向かって面４８が立ち上がっている。
【００５０】
この実施形態では、通過孔４６が搬送面よりも高い位置にあるので、第１の実施形態とは異なり、重積搬送されてきたメダル１０群のうち、上部に重積されているメダル１０が通過孔４６を上流側から下流側に通過してしまうことを防ぐ規制手段を、別に設ける必要がある。そのため、通過孔４６が設けられている位置よりも上流側の天井部に、搬送面に向かって伸びた規制手段、例えば規制部材５０を設けてある。これにより、重積されているメダル１０群のうち、通過孔４６が設けられている位置以上の高さまで重積搬送されているメダル群１０の高さが揃えられ、重積されたメダル１０群が通過孔４６をそのまま通過することを規制できる。なお、規制部材５０は、通過孔４６を上流側から見て視覚的に完全に遮蔽してしまうのではなく、通過孔４６の下部から上方へメダル１０の厚さよりも小さい間隔が形成される程度に通過孔４６を覆うものまでなら許容しても問題がない。
【００５１】
このように構成された搬送装置では、傾斜面４４の角度Φがコンベヤ２の角度θよりも小さいので、面４８がベルト８の搬送面に対して起きあがった状態にあるので、２枚以上重積されたメダル１０が上流側から搬送されてきた場合、上側のメダル１０は、面４８に接触し、滑落させられる。下側の１枚のメダル１０は、面４２とベルト８との間を通過する。なんらかの原因で２枚以上のメダル１０が面４２とベルト８との間に入った場合には、第１の実施形態の崩し板２４と同様に崩し板２４ａが下流側方向に移動して、面４２とベルト８との間隔を広げ、２枚のメダルを下流側に搬送する。
【００５２】
第１の実施形態と同様に逆転プーリ２６によって弾き飛ばされ、崩し板２４ａまで滑落してきたメダル１０は、傾斜面４４を滑走して、通過孔４８を通って上流側に移動する。
【００５３】
上記の第１の実施形態では、崩し板２４を２つの部材２８、３０によって形成し、それらの中央側端部の間に通過孔４０を形成して、崩し板と還元手段とを兼用させたが、例えば、崩し板２４の２つの部材２８、３０から折り返し部部３６、先端部３４及び規制部３８を除去し、これら部材２８、３０よりも上流側にベルトコンベヤ２の搬送面の幅方向に沿って一方の側板２２から他方の側板２２まで、板状体を設け、その下端部に図３に示すような先端部３４、折り返し部３６及び規制部３８を設けた崩し板を設けることもできる。即ち、崩し板とは別個に還元手段を設けることもできる。また、第１の実施の形態では、部材２８、３０の中央側の端部は、搬送方向に沿ってほぼ一致するように形成したが、部材２８の中央側の端部を更に他方の側板２２側まで延長して、両部材２８、３０の中央側の端部が重なり合うように形成することもできる。
【００５４】
第２の実施の形態では、崩し板２４ａは、面４２、傾斜面４４、面４８を有するものとしたが、崩し板２４ａを厚さの薄い板状体とし、それの上流側の端部とコンベヤ２のベルト面との間にベルト８の搬送面との間に１枚のメダル１０の厚さよりも大きく２枚のメダルの厚さよりも小さい間隔をあけ、その板状体が角度Φをなすように配置することもできる。或いは、図５に点線で示すように崩し板２４ａを側面形状が直角三角形状とすることもできる。
【００５５】
第１及び第２の実施形態では、第２の整揃手段として逆転プーリを設けたが、これに限ったものではなく、例えばベルトコンベヤ２の幅方向に沿って配置した板状体とすることもできる。この場合、この板状体とベルト８の搬送面との間には、１枚のメダル１０の厚さよりも大きく、２枚のメダル１０の厚さよりも小さく、かつ部材２８、３０の規制部３８とベルト１０との距離よりも短い距離を設定する。
【図面の簡単な説明】
【００５６】
【図１】本発明の第１の実施形態の遊技媒体搬送装置の側面図である。
【図２】図１の遊技媒体搬送装置の平面図である。
【図３】図１の遊技媒体搬送装置で使用する崩し板の部材の部分省略側面図である。
【図４】本発明の第２の実施形態の遊技媒体搬送装置の平面図である。
【図５】図４の遊技媒体搬送装置の部分省略側面図である。
【符号の説明】
【００５７】
２  ベルトコンベヤ
８  ベルト
１０  メダル（遊技媒体）
２４  ２４ａ  崩し板（第１の整揃手段）
２６  逆転プーリ（第２の整揃手段）
４０  ４６  通過孔（還元手段）
【図１】
2007312996.tif 000003
【図２】
2007312996.tif 000004
【図３】
2007312996.tif 000005
【図４】
2007312996.tif 000006
【図５】
2007312996.tif 000007